(57)【要約】      （修正有）【課題】駆動機構はウォームホイールとウォームと組み合わせてマッサージヘッドを回転駆動する伝動方式を採用し、伝動が安定的かつ確実であり、伝動騒音が小さく、耐久性がよいマッサージ器を提供する。【解決手段】ハウジング１０と、ハウジングに回転可能に設置される少なくとも一つのマッサージヘッド２０と、回転駆動機構３０であって、駆動モータ３１と、ウォーム３２と、ウォームホイール３３とを含み、駆動モータはハウジング内に固定設置され、駆動モータの駆動端はウォームに固定接続され、ウォームホイールは、ハウジング内に回転可能に設置され、ウォームはウォームホイールに噛み合い、ウォームホイールはマッサージヘッドに伝動接続される。【選択図】図２
0003235485.tif 000002
【実用新案登録請求の範囲】
【請求項１】
ハウジング（１０）と、
前記ハウジング（１０）に回転可能に設置される少なくとも一つのマッサージヘッド（２０）と、
回転駆動機構（３０）であって、駆動モータ（３１）と、ウォーム（３２）と、ウォームホイール（３３）とを含み、前記駆動モータ（３１）は前記ハウジング（１０）内に固定設置され、前記駆動モータ（３１）の駆動端は前記ウォーム（３２）に固定接続され、前記ウォームホイール（３３）は、前記ハウジング（１０）内に回転可能に設置され、前記ウォーム（３２）は前記ウォームホイール（３３）に噛み合い、前記ウォームホイール（３３）は前記マッサージヘッド（２０）に伝動接続される回転駆動機構（３０）とを含むことを特徴とするマッサージ器。
【請求項２】
前記ハウジング（１０）には回転軸（４０）が回転可能に設置され、前記マッサージヘッド（２０）は前記回転軸（４０）に固定接続され、前記ハウジング（１０）内には伝動構造（５０）が設置され、前記ウォームホイール（３３）は前記伝動構造（５０）に伝動接続され、前記伝動構造（５０）は前記回転軸（４０）に固定接続されることを特徴とする請求項１に記載のマッサージ器。
【請求項３】
前記マッサージヘッド（２０）と前記回転軸（４０）の数はいずれも複数に設定され、前記マッサージヘッド（２０）と前記回転軸（４０）とは一つずつ対をなし、
前記伝動構造（５０）は、対応する前記回転軸（４０）に固定接続される歯車を含み、前記歯車のうちの一つは前記ウォームホイール（３３）に噛み合い、前記ウォームホイール（３３）に噛み合う前記歯車は、残りの前記歯車を同期して回転させることができることを特徴とする請求項２に記載のマッサージ器。
【請求項４】
前記回転軸（４０）の軸線は、前記マッサージヘッド（２０）が偏心回転するように、前記マッサージヘッド（２０）の中心線に対して角度をなしていることを特徴とする請求項２または３に記載のマッサージ器。
【請求項５】
前記マッサージヘッド（２０）は、前記回転軸（４０）に嵌着され、前記回転軸（４０）には係着部（４１）が設置され、前記マッサージヘッド（２０）には前記係着部（４１）と係合する係着溝（２１）が設置され、前記係着部（４１）の外壁面と前記係着溝（２１）の内壁面とは、二つの同じ角度をなすように、それぞれ前記回転軸（４０）に対して傾斜していることを特徴とする請求項４に記載のマッサージ器。
【請求項６】
前記係着部（４１）は、前記係着溝（２１）に係着されるスリーブ（４１１）と、係着部材（４１２）とを備え、前記スリーブ（４１１）の内側壁にバンプ（４１１１）が設置され、前記回転軸（４０）には、前記回転軸（４０）の一端に連通する凹部（４２）が設置され、前記バンプ（４１１１）は、前記凹部（４２）に係着するまで、前記回転軸（４０）の軸線に沿って移動可能であり、
前記回転軸（４０）には第１スロット（４３）が設置され、前記スリーブ（４１１）には外部と連通する第２スロット（４１１２）が設置され、前記第１スロット（４３）、前記第２スロット（４１１２）はそれぞれ前記係着部材（４１２）と係着することを特徴とする請求項５に記載のマッサージ器。
【請求項７】
前記マッサージヘッド（２０）と前記回転軸（４０）は導電可能であり、前記ハウジング（１０）内には前記回転軸（４０）に電気的に接続される電気治療駆動モジュールが設置されることを特徴とする請求項３に記載のマッサージ器。
【請求項８】
前記電気治療駆動モジュールと前記回転軸（４０）との間に弾性導電部材（６０）が設置されることを特徴とする請求項７に記載のマッサージ器。
【請求項９】
前記ハウジング（１０）には発光ユニット（７０）と調光駆動モジュールが設置され、前記調光駆動モジュールは前記発光ユニット（７０）と電気的に接続され、前記発光ユニット（７０）は前記ハウジング（１０）の外部に光を放射することができることを特徴とする請求項１に記載のマッサージ器。
【請求項１０】
前記ハウジング（１０）に取り外し可能に接続されるアウターカバー（１１）をさらに含み、前記アウターカバー（１１）は前記マッサージヘッド（２０）に覆って設置されることを特徴とする請求項１に記載のマッサージ器。
【考案の詳細な説明】
【技術分野】
【０００１】
本考案は美容器械技術分野に関し、特にマッサージ器に関する。
【背景技術】
【０００２】
従来技術におけるマッサージ器は、構造が複雑であり、使用時間が長くなるにつれて、マッサージ器に大きな騒音が発生し、耐久性が悪く、使用寿命が短い。
【考案の概要】
【考案が解決しようとする課題】
【０００３】
本考案は、従来技術における課題の少なくとも１つを解決することを目的とする。そのため、本考案は、伝動が安定的かつ確実であり、伝動騒音が小さく、耐久性がよいマッサージ器を提供する。
【課題を解決するための手段】
【０００４】
本考案の実施例によるマッサージ器は、ハウジングと、前記ハウジングに回転可能に設置される少なくとも一つのマッサージヘッドと、回転駆動機構であって、駆動モータと、ウォームと、ウォームホイールとを含み、前記駆動モータは前記ハウジング内に固定設置され、前記駆動モータの駆動端は前記ウォームに固定接続され、前記ウォームホイールは、前記ハウジング内に回転可能に設置され、前記ウォームは前記ウォームホイールに噛み合い、前記ウォームホイールは前記マッサージヘッドに伝動接続される回転駆動機構とを含む。
【０００５】
本考案の実施例によるマッサージ器は、少なくとも下記の効果を有する。本出願の駆動機構はウォームホイールとウォームと組み合わせてマッサージヘッドを回転駆動する伝動方式を採用し、伝動が安定的かつ確実であり、伝動騒音が小さく、耐久性がよい。
【０００６】
本考案のいくつかの実施例によれば、前記ハウジングには回転軸が回転可能に設置され、前記マッサージヘッドは前記回転軸に固定接続され、前記ハウジング内には伝動構造が設置され、前記ウォームホイールは前記伝動構造に伝動接続され、前記伝動構造は前記回転軸に固定接続される。
【０００７】
本考案のいくつかの実施例によれば、前記マッサージヘッドと前記回転軸の数はそれぞれ複数設置され、前記マッサージヘッドと前記回転軸とは一つずつ対をなし、前記伝動構造は複数の歯車を含み、前記歯車は対応する前記回転軸に固定接続され、前記歯車のうちの一つは前記ウォームホイールに噛み合い、前記ウォームホイールに噛み合う前記歯車は、残りの前記歯車を同期して回転させることができる。
【０００８】
本考案のいくつかの実施例によれば、前記回転軸の軸線は、前記マッサージヘッドが偏心回転するように、前記マッサージヘッドの中心線に対して角度をなしている。
【０００９】
本考案のいくつかの実施例によれば、前記マッサージヘッドは、前記回転軸に嵌着され、前記回転軸には係着部が設置され、前記マッサージヘッドには前記係着部と係合する係着溝が設置され、前記係着部の外壁面と前記係着溝の内壁面とは、二つの同じ角度をなすように、それぞれ前記回転軸に対して傾斜している。
【００１０】
本考案のいくつかの実施例によれば、前記係着部は、前記係着溝に係着されるスリーブと、係着部材とを備え、前記スリーブの内側壁にバンプが設置され、前記回転軸には、前記回転軸の一端に連通する凹部が設置され、前記バンプは、前記凹部に係着するまで、前記回転軸の軸線に沿って移動可能であり、前記回転軸には第１スロットが設置され、前記スリーブには外部と連通する第２スロットが設置され、前記第１スロット、前記第２スロットはそれぞれ前記係着部材と係合する。
【００１１】
本考案のいくつかの実施例によれば、前記マッサージヘッドと前記回転軸は導電可能であり、前記ハウジング内には前記回転軸に電気的に接続される電気治療駆動モジュールが設置される。
【００１２】
本考案のいくつかの実施例によれば、前記電気治療駆動モジュールと前記回転軸との間に弾性導電部材が設置される。
【００１３】
本考案のいくつかの実施例によれば、前記ハウジングには発光ユニットと調光駆動モジュールが設置され、前記調光駆動モジュールは前記発光ユニットと電気的に接続され、前記発光ユニットは前記ハウジングの外部に光を放射することができる。
【００１４】
本考案のいくつかの実施例によれば、前記ハウジングに取り外し可能に接続されるアウターカバーをさらに含み、前記アウターカバーは前記マッサージヘッドに覆って設置される。
【００１５】
本考案の付加的な態様および利点は、以下の説明に部分的に記載され、以下の説明から部分的に明らかになるか、または本考案の実施によって理解されるであろう。
【図面の簡単な説明】
【００１６】
本考案の上記および／または追加の態様および利点は、以下の図面と合わせて実施例の説明から明らかになり、理解しやすくなるであろう。
【図１】本考案の実施例に係るマッサージ器の全体構成図である。
【図２】本考案の実施例に係るマッサージ器の断面概略図である。
【図３】図１の第１分解概略図である。
【図４】図１の第２分解概略図である。
【図５】マッサージ器の実施例の回転駆動機構の構造を示す概略図である。
【図６】マッサージ器の実施例のマッサージヘッドと回転軸の構造を示す概略図である。
【図７】マッサージ器の実施例の回転軸の構造を示す概略図である。
【図８】図７の分解概略図である。
【図９】マッサージ器の実施例のスリーブの構造を示す概略図である。
【考案を実施するための形態】
【００１７】
以下、本考案の実施例について詳細に説明するが、実施例の一例を図面に示し、ここで、同一または類似の符号は、同一もしくは類似の部材または同一もしくは類似の機能を有する部材を示す。以下、図面を参照して説明する実施例は、例示的なものであり、本考案を説明するためのものに過ぎず、本考案を限定するものではない。
【００１８】
本考案の説明では、「上」、「下」などで示される方位または位置関係は、図面に基づく方位または位置関係であり、単に本考案の記載のためのものおよび記載を容易にするためのものに過ぎず、ここに記載される装置または素子が特定の方位を有したり、特定の方位で構成され、操作されなければならないと示しまたは暗示するものではないため、本考案への制限として理解すべきではない。
【００１９】
本考案の説明では、「第１」、「第２」と言及すると、構成要素を区別するためのものに過ぎず、相対的重要性を提示するか暗示する、または示される構成要素の数量または示される構成要素の前後関係を暗示的に示すと理解すべきではない。
【００２０】
本考案の説明では、特に明確に限定されない限り、「取り付け」、「接続」などの用語は広く理解されるべきであり、当業者は、技術的解決手段の具体的な内容に基づいて上記用語の本考案での具体的な意味を合理的に決定することができる。
【００２１】
図２、図４および図５に示すように、本考案の実施例に係るマッサージ器は、ハウジング１０と、ハウジング１０に回転可能に設置される少なくとも一つのマッサージヘッド２０と、回転駆動機構３０であって、駆動モータ３１と、ウォーム３２と、ウォームホイール３３とを含み、駆動モータ３１はハウジング１０内に固定設置され、駆動モータ３１の駆動端はウォーム３２に固定接続され、ウォームホイール３３は、ハウジング１０内に回転可能に設置され、ウォーム３２はウォームホイール３３に噛み合い、ウォームホイール３３はマッサージヘッド２０に伝動接続される回転駆動機構３０とを含む。
【００２２】
本考案の実施例のマッサージ器によれば、本出願の駆動機構はウォームホイール３３とウォーム３２と組み合わせてマッサージヘッド２０を回転駆動する伝動方式を採用し、伝動が安定的かつ確実であり、伝動騒音が小さく、耐久性がよい。
【００２３】
図２、図４および図５に示すように、本考案のいくつかの実施例では、ハウジング１０に回転軸４０が回転可能に設置され、マッサージヘッド２０が回転軸４０に固定接続され、ハウジング１０内に伝動構造５０が設置され、ウォームホイール３３が伝動構造５０に伝動接続され、伝動構造５０が回転軸４０に固定接続され、構造が合理的にコンパクトであり、取り付けが安定し、伝動が確実であることが理解されるであろう。
【００２４】
本考案のいくつかの実施例において、マッサージヘッド２０と回転軸４０の数はいずれも複数に設定され、マッサージヘッド２０と回転軸４０とは一つずつ対をなし、伝動構造５０は歯車を含み、歯車は対応する回転軸４０に固定接続され、そのうちの一つの歯車はウォームホイールと噛み合い、ウォームホイール３３と噛合する歯車は残りの歯車を同期回転させることができる。駆動モータ３１によってウォーム３２とウォームホイール３３を回転させ、ウォームホイール３３は歯車を回転させ、これによってマッサージヘッド２０を回転させ、構造が合理的にコンパクトであり、取り付けが安定し、かつ伝動精度が高い。
【００２５】
なお、本考案のいくつかの実施例では、マッサージヘッド２０、回転軸４０および歯車の数は、いずれも四つに設定され、歯車のうちの一つはウォームホイール３３に噛み合い、ウォームホイール３３に噛み合う歯車は二つの歯車に噛み合い、ウォームホイール３３に噛み合った二つの歯車のうち、一つの歯車は残りの歯車と噛み合いている。
【００２６】
もちろん、いくつかの実施例では、複数の歯車は連続して噛み合って伝動し、または、そのうちの１つの歯車はウォームホイール３３に噛み合い、残りの歯車はそれぞれウォームホイール３３と噛み合った歯車とそれぞれ噛み合うことが理解されるであろう。
【００２７】
いくつかの実施例では、マッサージヘッド２０および回転軸４０の数をいずれも１つに設定することができ、伝動構造５０は、回転軸４０に固定接続される歯車を含むか、または、マッサージヘッド２０と回転軸４０の数はいずれも二つに設定することができ、伝動構造５０は二つの歯車を含み、二つの歯車は二つの回転軸４０に１つずつ対応してかつ固定接続され、または、マッサージヘッド２０と回転軸４０の数はいずれも３つもしくは５つ以上に設定され、歯車の数は回転軸４０の数に対応することが考えられる。当然のことながら、いくつかの実施例では、伝動構造５０は、歯車およびプーリによる伝動であってもよく、ここでは限定しない。
【００２８】
いくつかの実施例では、マッサージヘッド２０と回転軸４０の数はそれぞれ少なくとも二つに設定され、マッサージヘッド２０と回転軸４０とは一つずつ対をなし、隣接する二つのマッサージヘッド２０ごとに回転方向は反対であり、回転軸４０ごとに１つの回転駆動機構３０を接続し、各駆動モータ３１の回転方向を設定し、隣接する二つの駆動モータ３１ごとの回転方向を反対にすることにより、隣接する二つのマッサージヘッド２０ごとの回転方向を逆にさせることができ、皮膚をより良くマッサージすることができる。
【００２９】
図２から図９に示すように、本考案のいくつかの実施例では、回転軸４０の軸線は、マッサージヘッド２０が偏心回転するように、マッサージヘッド２０の中心線に対して角度をなしていることが考えられる。マッサージヘッド２０が偏心回転して、マッサージヘッド２０が接触する皮膚面積を大きくし、マッサージ効果をさらに向上させる。
【００３０】
図６から図９に示すように、本考案のいくつかの実施例では、マッサージヘッド２０は回転軸４０に嵌着され、回転軸４０には係着部４１が設置され、マッサージヘッド２０には係着部４１と係着する係着溝２１が設置され、係着部４１の外壁面と係着溝２１の内壁面とはそれぞれ回転軸４０に対して二つの同じ角度をなすように傾斜する。上記構造を採用し、回転駆動機構３０が回転する時、マッサージヘッド２０を偏心回転させ、かつマッサージヘッド２０と回転軸４０は係着形式を採用し、構造が簡単で、安定的であり、かつ取り付けが確実である。
【００３１】
図２から図９に示すように、本考案のいくつかの実施例では、係着部４１は、係着溝２１に係着されるスリーブ４１１と、係着部材４１２とを備え、スリーブ４１１の内側壁にバンプ４１１１が設置され、回転軸４０には、回転軸４０の一端に連通する凹部４２が設置され、バンプ４１１１は、凹部４２に係着するまで、回転軸４０の軸線に沿って移動可能であり、回転軸４０には第１スロット４３が設置され、スリーブ４１１には外部と連通する第２スロット４１１２が設置され、第１スロット４３、第２スロット４１１２はそれぞれ係着部材４１２と係合する。前記構造を採用し、係着部材４１２とスリーブ４１１との取り外し可能な接続を実現し、かつ係着部材４１２と第１スロット４３とが係着することによりスリーブ４１１と回転軸４０との軸方向移動を制限し、構造が簡単で、着脱しやすく、安定的でありかつ取り付けが確実である。
【００３２】
本考案のいくつかの実施例では、スリーブ４１１の外壁面と係着溝２１との接続箇所に第３スロット４１１３が設置され、係着溝２１の内壁面には第１ボス２１１が対応設置され、第３スロット４１１３は第１ボス２１１に係着可能である。回転軸４０とマッサージヘッド２０との接続部分の端面には、その内部に延びる第４スロットが設置され、係着溝２１には第２ボス２１２が対応して設置され、第２ボス２１２は第４スロットに係着可能であり、それにより、係着部４１と係着溝２１とを確実に係着させ、マッサージヘッド２０と回転軸４０との接続をより強固にする。
【００３３】
図２から図４に示すように、本考案のいくつかの実施例において、ハウジング１０には充放電可能なエネルギ蓄積モジュールが設置され、エネルギ蓄積モジュールは充放電回路とリチウム電池１２を含み、エネルギ蓄積モジュールには電気端子５０が設置され、電気端子５０はハウジング１０に設置されて外部電源に接続され、エネルギ蓄積モジュールはそれぞれ電気治療駆動モジュール、回転駆動機構３０のモータ３５と電気的に接続することができる。
【００３４】
本考案のいくつかの実施例では、マッサージヘッド２０と回転軸４０は導電可能であり、ハウジング１０内には回転軸に電気的に接続される電気治療駆動モジュールが設置される。回転マッサージを実現すると同時に、ＲＦ無線周波数および微電流美容機能を実現する。
【００３５】
なお、マッサージヘッド２０と回転軸４０の数はいずれも四つに設定され、電気治療駆動モジュールには正電極と負電極が設置され、少なくとも１つの回転軸４０は正電極に接続され、少なくとも１つの回転軸４０は負電極に接続される。
【００３６】
理解できるように、上記回転軸４０、マッサージヘッド２０は導電性金属を採用することができ、またその内外面に導電性金属層をメッキすることができる。本実施例のいくつかの実施例では、マッサージヘッド２０と回転軸４０の数は、いずれも四つに設定されるが、二つ、三つまたは五つ以上に設定されていてもよいことは勿論であり、ここでは限定しない。
【００３７】
本考案のいくつかの実施例では、電気治療駆動モジュールと回転軸との間に弾性導電部材が設置される。回転軸４０が回転すると、この弾性導電部材６０は回転軸４０と良好な電気的接続を保持することができる。なお、正電極および負電極の両方には弾性導電部材６０が設置され、弾性導電部材６０は回転軸４０の端面に押し当てられる。
【００３８】
なお、本考案のいくつかの実施例では、この弾性導電部材６０の形状はバネ状であり、回転軸４０と電極との接続端面にはその内部まで延びる溝が設置され、バネ状の弾性導電部材６０はこの溝に部分的に設置される。回転軸４０が回転すると、この弾性導電部材６０は、さらに回転軸４０と良好な電気的接続を保ち、接触不良を避ける。
【００３９】
なお、電気治療駆動モジュールは周波数可変な駆動モジュールであり、コントローラ１３とパルストランス１４を含み、コントローラ１３はパルスコントローラ１３を採用し、ワンチップマイコンを制御コアとすることができ、パルストランス１４は広帯域変圧器を採用し、この広帯域変圧器は高、中、低周波電圧を発生させることができる。エネルギ蓄積モジュールはパルスコントローラ１３に電力を供給して広帯域変圧器を制御して高周波パルス電流を生成し、ここの高周波とは１００００Ｈｚより大きいものを指し、この高周波パルス電流は正電極と負電極を介して対応する二つのマッサージヘッド２０に伝送し、二つのマッサージヘッド２０は皮膚と接触して電流回路を形成することができ、この高周波パルス電流はＲＦ無線周波数電流であり、真皮層のコラーゲン繊維を加熱させ、相応の美容効果に達する。
【００４０】
この電気治療駆動モジュールの可変周波数範囲は大きく、高周波パルス電流を出力することができるほか、パルスコントローラ１３は、広帯域変圧器が１０００Ｈｚより小さい低周波パルス電流を出力するように制御することができ、この低周波パルス電流はＥＭＳ微電流であり、このＥＭＳ微電流は皮膚筋肉の収縮を促進して相応の美容効果に達する。
【００４１】
図１から図４に示すように、本考案のいくつかの実施例では、図示のハウジング１０に取り外し可能に接続されるアウターカバー１１をさらに含み、図示のアウターカバー１１はマッサージヘッド２０に覆って設置され、このアウターカバー１１は、マッサージヘッド２０を密閉し、それにより着脱しやすく、シール性に優れることが理解されるであろう。
【００４２】
本考案のいくつかの実施例では、アウターカバー１１には充電ポート１１１が設置され、アウターカバー１１がハウジング１０に接続された後、この充電ポート１１１は、アウターカバー１１の内部に設置される導電弾性シートによってハウジング１０の表面から張り出した電気接続端子に電気的に接続され、この電気接続端子は、エネルギ蓄積モジュールに電気的に接続され、この充電ポート１１１は、外部電源に接続されることによってエネルギ蓄積モジュールに充電することができる。
【００４３】
図２から図４に示すように、本考案のいくつかの実施例において、ハウジング１０には発光ユニット７０と調光駆動モジュールが設置され、調光駆動モジュールは発光ユニット７０に電気的に接続され、発光ユニット７０はハウジング１０の外部に光を放射することができる。発光ユニット７０は赤、黄、青のＬＥＤランプを採用し、このＬＥＤランプはハウジング１０の内部に設置され、かつハウジング１０の表面における対応箇所に穴を開けて発光ユニット７０がハウジング１０の外部に光を放射できるようにしてもよいし、このＬＥＤランプをハウジング１０の表面に設置してもよい。調光駆動モジュールのコア構成要素は、電圧、電流の大きさ、周波数、およびデューティ比を制御することができるコントローラ１３であり、このコントローラ１３は、集積チップを使用することができる。エネルギ蓄積モジュールは、コントローラ１３が発光ユニット７０を制御して美容のための赤色光、黄色光、または青色光を放出させるように、調光駆動モジュールに電力を供給する。
【００４４】
なお、本考案のいくつかの実施例では、発光ユニット７０は、ＰＣＢ基板と、導光部材７２と、弾性位置決めシートとを含み、ＬＥＤランプはＰＣＢ基板７１上に設置され、導光部材７２はＬＥＤランプに対応して配設され、弾性位置決め部材を介してＰＣＢ基板７１に取り外し可能に接続され、それにより着脱しやすく、かつメンテナンスが容易である。また、ハウジング１０は第１筐体と第２筐体を含み、第１筐体と第２筐体は係着構造によって取り外し可能に接続され、係着構造は係着ブロックと、係着ブロックと嵌合する係着口とを含み、それにより着脱しやすく、かつメンテナンスが容易である。
【００４５】
図３および図４に示すように、ハウジング１０には、モータ、発光ユニット７０にそれぞれ電気的に接続される電源キー１５と、電気治療駆動モジュールに電気的に接続されるシフトキー１６が設置され、シフトキー１６はさらにシフト制御モジュールを介してモータに電気的に接続される。このシフト制御モジュールは、内部抵抗値が可変なコントローラ１３を採用することができ、このコントローラ１３内部の出力抵抗値はシフトキー１６の押圧回数の変化に応じて変化することができ、低速段、中速段、高速段の三段が設定され、すなわち、シフトキー１６の傍にＬ、Ｍ、Ｈ指示ランプが設置され、コントローラ１３が出力する抵抗値が大きいほど、駆動モータ３１の回転速度は速くなる。
【００４６】
電源キー１５を押して起動し、マッサージヘッド２０は低速で回転しかつ隣接する二つごとの回転方向が反対であり、同時にＬＥＤランプが赤に点灯する。電源キー１５を押すと、ＬＥＤランプは黄に点灯する。電源キー１５を押すと、ＬＥＤランプは青に点灯する。
【００４７】
電源投入状態でシフトキー１６を押すと、Ｌはランプを点灯し、マッサージヘッド２０は低速で回転しかつ隣接する二つごとの回転方向が反対である。シフトキー１６を押すと、Ｍはランプを点灯し、マッサージヘッド２０は中速で回転しかつ隣接する二つごとの回転方向が反対である。シフトキー１６を押すと、Ｈはランプを点灯し、マッサージヘッド２０は高速で回転しかつ隣接する二つごとの回転方向が反対である。シフトキー１６を押すと、ＲＦ無線周波数モードがオンになり、同時にマッサージヘッド２０は低速で回転しかつ隣接する二つごとの回転方向が反対であり、シフトキー１６を押すと、ＥＭＳ微電流モードがオンになり、同時にマッサージヘッド２０は低速で回転しかつ隣接する二つごとの回転方向が反対である。
【００４８】
以上の実施例の各構成要素は任意に組み合わせることができ、記載を簡潔にするために、上述の実施例における各構成要素の全ての可能な組み合わせについては記載されていないが、これらの構成要素の組み合わせに矛盾がない限り、本明細書に記載された範囲とみなすべきである。
【００４９】
当然ながら、本考案は、上述した実施形態に限定されるものではなく、当業者であれば、本考案の趣旨を逸脱することなく、均等な変形や置換を行うことができ、これらの変形や置換はいずれも本願の実用新案登録請求の範囲に記載される範囲内に含まれるものとする。
【符号の説明】
【００５０】
１０  ハウジング
１１  アウターカバー
１１１  充電ポート
１２  リチウム電池
１３  コントローラ
１４  パルストランス
１５  電源キー
１６  シフトキー
２０  マッサージヘッド
２１  係着溝
２１１  第１ボス
２１２  第２ボス
３０  回転駆動機構
３１  駆動モータ
３２  ウォーム
３３  ウォームホイール
４０  回転軸
４１  係着部
４１１  スリーブ
４１２  係着部材
４１１１  バンプ
４１１２  第２スロット
４１１３  第３スロット
４２  凹部
４３  第１スロット
４４  第４スロット
５０  伝動構造
６０  弾性導電部材
７０  発光ユニット
７１  ＰＣＢ基板
７２  導光部材
【図１】
0003235485.tif 000003
【図２】
0003235485.tif 000004
【図３】
0003235485.tif 000005
【図４】
0003235485.tif 000006
【図５】
0003235485.tif 000007
【図６】
0003235485.tif 000008
【図７】
0003235485.tif 000009
【図８】
0003235485.tif 000010
【図９】
0003235485.tif 000011